(57)【特許請求の範囲】
【請求項１】
複数のマルチメディア機能が搭載された情報処理装置において、
対向機器から無線通信を介してリモコンコマンドを受信したときに、前記複数のマルチメディア機能の中から１つのマルチメディア機能を起動する方法を設定する設定手段と、
前記対向機器から無線通信を介して送信されてきたリモコンコマンドを受信したとき、前記設定手段により設定されているマルチメディア機能を起動する方法に基づいてマルチメディア機能の起動を制御する制御手段とを備え、
マルチメディア機能を起動する方法がオート設定であると判定された場合、前記制御手段は、直近で起動されたマルチメディア機能を起動するように制御することを特徴とする情報処理装置。
【請求項２】
直近で起動されたマルチメディア機能が地上波デジタルワンセグ放送波に関する機能である場合、前記制御手段は、前記地上波デジタルワンセグ放送波に関する機能を起動するように制御し、直近で起動されたマルチメディア機能が地上波デジタルラジオ放送波に関する機能である場合、前記制御手段は、前記地上波デジタルラジオ放送波に関する機能を起動するように制御し、直近で起動されたマルチメディア機能がＦＭラジオ放送波に関する機能である場合、前記制御手段は、前記ＦＭラジオ放送波に関する機能を起動するように制御し、直近で起動されたマルチメディア機能が音楽プレーヤに関する機能である場合、前記制御手段は、前記音楽プレーヤに関する機能を起動するように制御することを特徴とする請求項１に記載の情報処理装置。
【請求項３】
直近で起動されたマルチメディア機能が所定の放送波に関する機能である場合に、前記所定の放送波の受波状況に応じて、直近で起動されたマルチメディア機能またはそれ以外のマルチメディア機能を起動するように制御することを特徴とする請求項１に記載の情報処理装置。
【請求項４】
直近で起動されたマルチメディア機能が地上波デジタルワンセグ放送波に関する機能、地上波デジタルラジオ放送波に関する機能、またはＦＭラジオ放送波に関する機能である場合に、前記地上波デジタルワンセグ放送波、前記地上波デジタルラジオ放送波、または前記ＦＭラジオ放送波が受信可能ではないとき、予め設定された優先度に従い、優先度が高いマルチメディア機能を起動するように制御することを特徴とする請求項３に記載の情報処理装置。
【請求項５】
直近で起動されたマルチメディア機能が所定の放送波に関する機能である場合に、前記所定の放送波が受信可能ではないときであっても、直近で起動されたマルチメディア機能を起動するように制御することを特徴とする請求項１に記載の情報処理装置。
【請求項６】
直近で起動されたマルチメディア機能が音楽プレーヤに関する機能である場合に、前記音楽プレーヤを用いて再生可能なオーディオデータがないとき、予め設定された優先度に従い、優先度が高いマルチメディア機能を起動するように制御することを特徴とする請求項１に記載の情報処理装置。
【発明の詳細な説明】
【技術分野】
【０００１】
本発明は情報処理装置に係り、特に、マルチメディア機能をリモコンにより制御することができるようにした情報処理装置に関する。
【背景技術】
【０００２】
近年、情報処理装置としての携帯電話機には、単なる通話による通信機能だけでなく、アドレス帳機能、基地局やインターネットなどのネットワークを介したメール機能や、Ｗｅｂページなどを閲覧することが可能なブラウザ機能だけでなく、オーディオデータを聞くことができる音楽制御機能や、地上波デジタル放送波、地上波デジタルラジオ放送波、およびＦＭラジオ放送波を受信することができる機能などのマルチメディア機能が搭載されるようになってきている。
【０００３】
なお、マルチメディア機能が搭載された携帯電話機に関する技術として、例えばユーザがブルートゥース（Bluetooth（登録商標））接続されている機器で音楽を聴いている間においても、割り込んだ着信を容易に気づかせることができる技術が知られている（例えば特許文献１参照）。
【０００４】
このようなマルチメディア機能に関しては、例えばユーザの頭部などに装着されたヘッドセットに設けられたリモコンによって制御することが可能である。マルチメディア機能をリモコン制御する場合、各マルチメディア機能を有するアプリケーションプログラムが、携帯電話機においてリモコンから受信された所定のコマンド（共通化されたコマンド）をそれぞれ解釈し、解釈されたコマンドに基づいて所定の動作を実行する。
【特許文献１】特開２００６−３１９５７２号公報
【発明の開示】
【発明が解決しようとする課題】
【０００５】
しかしながら、従来、ヘッドセットに設けられたリモコンを用いてマルチメディア機能を起動する場合、複数のマルチメディア機能の中から、リモコンと携帯電話機との間で予め決められたいずれか１つのマルチメディア機能（例えば音楽制御機能や、地上波デジタル放送波を受信することができる機能など）しか起動することができないという課題があった。
【０００６】
勿論、ヘッドセットに設けられたリモコンを用いて、複数のマルチメディア機能の中から、任意のマルチメディア機能を起動することができるようにするために、リモコンに、任意のマルチメディア機能を選択することが可能な制御機構を新たに設けることも可能ではあるが、この場合、リモコンのみならず、携帯電話機においても新たな制御機構を搭載したリモコンに対応させる必要がある。そして、たとえこれから新たに市場に出荷するリモコンと携帯電話機にこの新たな制御機構を搭載するようにしたとしても、任意のマルチメディア機能を選択することが可能な制御機構が搭載されていないすでに出荷済みの既存のリモコンに関しては、依然として、いずれか１つのマルチメディア機能しか起動することができない。
【０００７】
本発明は、このような状況に鑑みてなされたものであり、既存のリモコンを用いたとしても、複数のマルチメディア機能の中からいずれかの好適な機能を起動することができる情報処理装置を提供することを目的とする。
【課題を解決するための手段】
【０００８】
本発明の情報処理装置は、上述した課題を解決するために、複数のマルチメディア機能が搭載された情報処理装置において、対向機器から無線通信を介してリモコンコマンドを受信したときに、前記複数のマルチメディア機能の中から１つのマルチメディア機能を起動する方法を設定する設定手段と、前記対向機器から無線通信を介して送信されてきたリモコンコマンドを受信したとき、前記設定手段により設定されているマルチメディア機能を起動する方法に基づいてマルチメディア機能の起動を制御する制御手段とを備え、マルチメディア機能を起動する方法がオート設定であると判定された場合、前記制御手段は、直近で起動されたマルチメディア機能を起動するように制御することを特徴とする。
【０００９】
本発明の情報処理装置においては、複数のマルチメディア機能が搭載された情報処理装置において、対向機器から無線通信を介してリモコンコマンドが受信されたときに、複数のマルチメディア機能の中から１つのマルチメディア機能を起動する方法が設定され、対向機器から無線通信を介して送信されてきたリモコンコマンドが受信されたとき、設定されているマルチメディア機能を起動する方法に基づいてマルチメディア機能の起動が制御され、更に、マルチメディア機能を起動する方法がオート設定であると判定された場合、直近で起動されたマルチメディア機能を起動するように制御される。
【発明の効果】
【００１０】
本発明に係る情報処理装置によれば、既存のリモコンを用いたとしても、複数のマルチメディア機能の中からいずれかの好適な機能を起動することができる。
【発明を実施するための最良の形態】
【００１１】
以下、本発明の実施の形態について、図面を参照しながら説明する。図１は、本発明に係るネットワークシステム１の全体の構成を表している。図１に示されるように、ネットワークシステム１には、放送局８が所定の場所に設置されており、この放送局８は、所定の範囲内において地上波デジタルワンセグ放送波や地上波デジタル放送波、地上波デジタルラジオ放送波を送信する。本発明に係る情報処理装置に適用可能な携帯電話機２は、内蔵される地上波デジタルワンセグ・ラジオ受信部（例えば図４の地上波デジタルワンセグ・ラジオ受信部４９）を介して、この放送局８からの地上波デジタルワンセグ放送波や地上波デジタル放送波、地上波デジタルラジオ放送波を受信する。
【００１２】
また、ネットワークシステム１には、固定無線局である基地局３が設置されており、この基地局３には、移動無線局である携帯電話機２が例えばＷ−ＣＤＭＡ（Wideband-Code Division Multiple Access）と呼ばれる符号分割多元接続方式によって無線接続される。
【００１３】
また基地局３は、有線回線を介して公衆回線網４に接続されており、公衆回線網４には、インターネットサービスプロバイダのアクセスサーバ５が接続されている。アクセスサーバ５には、ネットワーク６を介して放送用コンテンツサーバ７などが接続されている。
【００１４】
携帯電話機２の近傍には、本発明に係る対向機器として適用可能なヘッドセット９が配置されている。ヘッドセット９は、携帯電話機２から無線通信を用いて転送されたオーディオデータ（地上波デジタルワンセグ放送波や地上波デジタルラジオ放送波によるオーディオデータも含む）を受信し、リアルタイムに再生することができる。なお、ヘッドセット９には、携帯電話機２に対して無線通信を介してリモート操作することが可能なリモコン１０が設けられている。
【００１５】
図２は、本発明に係る情報処理装置として適用可能な携帯電話機２の外観の構成を表している。なお、図２（Ａ）は、携帯電話機２を約１８０度に見開いたときの正面から見た外観の構成を表しており、図２（Ｂ）は、携帯電話機２を見開いたときの側面から見た外観の構成を表している。
【００１６】
図２（Ａ）および（Ｂ）に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ４４）が設けられており、内蔵されたアンテナを介して基地局３との間で電波を送受信する。
【００１７】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１８】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１９】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２０】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２１】
また、第１の筐体１２には、操作キー１４の下部にマイクロフォン１５が設けられており、マイクロフォン１５によって通話時のユーザの音声を集音する。また、第１の筐体１２には、携帯電話機２の操作を行うサイドキー１６が設けられている。
【００２２】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２０）で撮像した画像、外部のコンテンツサーバ（図示せず）より受信したコンテンツ、メモリカード（後述する図４のメモリカード４６）に記憶されているコンテンツを表示することができる。また、液晶ディスプレイ１７の上部の所定の位置にはスピーカ１８が設けられており、これにより、ユーザは音声通話することが可能である。
【００２３】
図３は、本発明に係る情報処理装置として適用可能な携帯電話機２の他の外観の構成を表している。図３の携帯電話機２の状態は、図２の携帯電話機２の状態から矢印Ｘ方向に回動させた状態である。なお、図３（Ａ）は、携帯電話機２を閉じたときの正面から見た外観の構成を表しており、図３（Ｂ）は、携帯電話機２を閉じたときの側面から見た外観の構成を表している。
【００２４】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機２の現在の電池残量を示す電池ピクト、現在の時刻などが表示される。
【００２５】
サブディスプレイ２１の下部には、さらに、静電タッチパッド２３が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２６】
図４は、本発明に係る情報処理装置として適用可能な携帯電話機２の内部の構成を表している。図４に示されるように、携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、および記憶部４７がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００２７】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。なお、主制御部３１には、現在の日付と時刻を正確に計測するタイマが内蔵されている。
【００２８】
携帯電話機２は、主制御部３１の制御に基づいて、音声通話モード時にマイクロフォン１５で集音した音声信号を音声コーデック４０によってデジタル音声信号に変換、圧縮し、これを変復調回路部３９でスペクトラム拡散処理し、送受信回路部４３でデジタルアナログ変換処理及び周波数変換処理を施した後にアンテナ４４を介して送信する。
【００２９】
また、携帯電話機２は、音声通話モード時にアンテナ４４で受信した受信信号を増幅して周波数変換処理及びアナログデジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３０】
さらに、携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でデジタルアナログ変換処理及び周波数変換処理を施した後にアンテナ４４を介して基地局３へ送信する。
【００３１】
これに対して携帯電話機２は、データ通信モード時に電子メールを受信する場合、アンテナ４４を介して基地局３から受信した受信信号を変復調回路部３９でスペクトラム逆拡散処理して元のテキストデータを復元した後、ＬＣＤ制御部３６を介して液晶ディスプレイ１７に電子メールとして表示する。
【００３２】
携帯電話機２は、データ通信モード時に画像信号を送信する場合、ＣＣＤカメラ２０で撮像された画像信号をカメラインタフェース部３５を介して画像エンコーダ３４に供給する。
【００３３】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機２は、ＣＣＤカメラ２０で撮像中にマイクロフォン１５で集音した音声を音声コーデック４０を介してデジタルの音声信号として多重分離部３８に送出する。
【００３４】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でデジタルアナログ変換処理及び周波数変換処理を施した後にアンテナ４４を介して送信する。これに対して、携帯電話機２では、データ通信モード時に、Ｗｅｂページのデータを受信することができる。
【００３５】
また、携帯電話機２は、データ通信モード時に例えばＷｅｂページなどにリンクされた動画像ファイルのデータを受信する場合、アンテナ４４を介して基地局３から受信した受信信号を変復調回路部３９でスペクトラム逆拡散処理し、その結果得られる多重化信号を多重分離部３８に送出する。
【００３６】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００３７】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。
【００３８】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。
【００３９】
音楽制御部４８は、記憶部４７に記憶されているオーディオデータの再生動作および一時停止動作や、巻戻し機能、早送り機能、音量ダウン動作、音量アップ動作などの実行を制御する。
【００４０】
リモコン通信部４９は、例えばブルートゥース（Bluetooth（登録商標））による無線通信を行うモジュールなどからなり、携帯電話機２の近傍に存在するヘッドセット９（特に、ヘッドセット９に設けられたリモコン１０）などと無線通信を行う。勿論、ブルートゥース以外の無線通信（例えば赤外線通信）を用いるようにしてもよい。
【００４１】
地上波デジタルワンセグ受信部５０は、放送局８からの地上波デジタルワンセグ放送波や地上波デジタルラジオ放送波を受信し、受信された地上波デジタルワンセグ放送波や地上波デジタルラジオ放送波を多重分離部３８または記憶部４７に供給する。ＦＭラジオ受信部５１は、図示せぬ放送局から送信されてきたＦＭラジオを受信する。
【００４２】
次に、図５のフローチャートを参照して、図４の携帯電話機２におけるマルチメディア機能起動設定処理について説明する。このマルチメディア機能起動設定処理は、ユーザにより操作キー１４が操作されることにより、マルチメディア機能起動設定処理を開始するとの指示が受け付けられたときに、開始される。
【００４３】
ステップＳ１において、主制御部３１は、ユーザにより操作キー１４が操作されることにより、マルチメディア機能起動設定処理を開始するとの指示が受け付けられたか否かを判定し、マルチメディア機能起動設定処理を開始するとの指示が受け付けられたと判定するまで待機する。
【００４４】
ステップＳ１においてマルチメディア機能起動設定処理を開始するとの指示が受け付けられたと判定された場合、主制御部３１はステップＳ２で、ＬＣＤ制御部３６を制御し、ユーザがヘッドセット９に設けられたリモコン１０を操作することで携帯電話機２にてマルチメディア機能を起動させる際の起動方法を設定するためのマルチメディア機能起動設定画面を液晶ディスプレイ１７に表示させる。液晶ディスプレイ１７は、ＬＣＤ制御部３６の制御に従い、例えば図６に示されるように、このマルチメディア機能起動設定画面５５−ａを表示する。
【００４５】
例えば図６のマルチメディア機能起動設定画面５５−ａの場合、ユーザがヘッドセット９に設けられたリモコン１０を操作することで携帯電話機２にてマルチメディア機能を起動させる際の起動方法として、「固定設定」、「優先度設定」、および「オート設定」が表示される。このとき、ユーザがその後に操作キー１４のうちの例えば確定キーなどを操作することでマルチメディア機能を起動させる起動方法として「固定設定」にすることが可能であることを示すために、マルチメディア機能起動設定画面５５−ａ上においては、「固定設定」、「優先度設定」、および「オート設定」のうちの「固定設定」の近傍にその旨の指示アイコンが表示される。勿論、マルチメディア機能起動設定画面上において、「固定設定」、「優先度設定」、および「オート設定」のうちの「固定設定」がフォーカスされるようにしてもよい。
【００４６】
なお、「固定設定」は、ユーザがリモコン１０を操作することで携帯電話機２にてマルチメディア機能を起動させる際に、携帯電話機２に搭載されている複数のマルチメディア機能のうち、ユーザの操作によって予め固定されたいずれか１つのマルチメディア機能を起動させる起動方法の設定を意味している。「優先度設定」は、ユーザがリモコン１０を操作することで携帯電話機２にてマルチメディア機能を起動させる際に、ユーザの操作によって予め設定された優先度に応じて、携帯電話機２に搭載されている複数のマルチメディア機能のうち、いずれか１つのマルチメディア機能を起動させる起動方法の設定を意味している。「オート設定」は、ユーザがリモコン１０を操作することで携帯電話機２にてマルチメディア機能を起動させる際に、起動時の電波状況などに応じて、携帯電話機２に搭載されている複数のマルチメディア機能のうち、いずれか１つのマルチメディア機能を自動的に起動させる起動方法の設定を意味している。
【００４７】
その後、マルチメディア機能起動設定画面５５−ａ上においてユーザにより操作キー１４のうちの例えば下キーが押下されると、マルチメディア機能起動設定画面５５−ａは、マルチメディア機能起動設定画面５５−ｂに遷移するとともに、マルチメディア機能起動設定画面５５−ｂ上においては、「固定設定」、「優先度設定」、および「オート設定」のうちの「優先度設定」の近傍に指示アイコンが表示される。なお、同様に、ユーザにより操作キー１４のうちの例えば上キーまたは下キーが再度押下されると、その操作に伴って、液晶ディスプレイ１７に表示される表示画面がマルチメディア機能起動設定画面５５−ａ乃至５５−ｃの間を適宜遷移する。
【００４８】
ステップＳ３において、主制御部３１は、操作入力制御部３３を介して、ユーザにより操作キー１４のうちの例えば確定キーなどが操作されることにより、液晶ディスプレイ１７に表示されるマルチメディア機能起動設定画面（マルチメディア機能起動設定画面５５−ａ）上において固定設定の選択が受け付けられたか否かを判定する。ステップＳ３において液晶ディスプレイ１７に表示されるマルチメディア機能起動設定画面（マルチメディア機能起動設定画面５５−ａ）上において固定設定の選択が受け付けられたと判定された場合、主制御部３１はステップＳ４で、ＬＣＤ制御部３６を制御し、ユーザがリモコン１０を操作することで携帯電話機２にてマルチメディア機能を起動させる際に、複数のマルチメディア機能の中から固定して起動させるいずれかのマルチメディア機能を選択するための固定設定機能選択画面５５−ｄを液晶ディスプレイ１７に表示させる。液晶ディスプレイ１７は、ＬＣＤ制御部３６の制御に従い、例えば図６に示されるように、この固定設定機能選択画面５５−ｄを表示する。
【００４９】
例えば図６の固定設定機能選択画面５５−ｄの場合、ユーザがリモコン１０を操作することで携帯電話機２にてマルチメディア機能を起動させる際に、複数のマルチメディア機能の中から固定して起動させるいずれかのマルチメディア機能として、「地デジ（地上波デジタルワンセグ放送波に関する機能）」、「デジタルラジオ（地上波デジタルラジオ放送波に関する機能）」、「ＦＭラジオ（ＦＭラジオに関する機能）」、および「音楽プレーヤ」が表示される。このとき、ユーザがその後に操作キー１４のうちの例えば確定キーなどを操作することで固定して起動させるマルチメディア機能として「地デジ（地上波デジタルワンセグ放送波に関する機能）」を選択することが可能であることを示すために、固定設定機能選択画面５５−ｄ上においては、「地デジ」、「デジタルラジオ」、「ＦＭラジオ」、および「音楽プレーヤ」のうちの「地デジ」の近傍にその旨の指示アイコンが表示される。
【００５０】
その後、固定設定機能選択画面５５−ｄ上においてユーザにより操作キー１４のうちの例えば下キーが押下されると、固定設定機能選択画面５５−ｄは固定設定機能選択画面５５−ｅに遷移するとともに、固定設定機能選択画面５５−ｅ上においては、「地デジ」、「デジタルラジオ」、「ＦＭラジオ」、および「音楽プレーヤ」のうちの「デジタルラジオ」の近傍に指示アイコンが表示される。なお、同様に、ユーザにより操作キー１４のうちの例えば上キーまたは下キーが再度押下されると、その操作に伴って、液晶ディスプレイ１７に表示される表示画面が固定設定機能選択画面５５−ｄ乃至５５−ｇの間を適宜遷移する。これにより、ユーザは、操作キー１４のうちの例えば確定キーなどを操作することで固定して起動させるマルチメディア機能として「地デジ」、「デジタルラジオ」、「ＦＭラジオ」、または「音楽プレーヤ」を選択することができる。
【００５１】
ステップＳ５において、主制御部３１は、操作入力制御部３３を介して、ユーザにより操作キー１４が操作されることにより、固定設定機能選択画面５５−ｄ乃至５５−ｇのいずれかの画面上において、複数のマルチメディア機能の中から固定して起動させるいずれかのマルチメディア機能の固定設定の選択を受け付ける。すなわち、固定して起動させるマルチメディア機能として「地デジ」、「デジタルラジオ」、「ＦＭラジオ」、または「音楽プレーヤ」の選択が受け付けられる。
【００５２】
ステップＳ６において、主制御部３１は、固定設定機能選択画面５５−ｄ乃至５５−ｇのいずれかの画面上において選択が受け付けられたいずれかのマルチメディア機能（例えば「地デジ」、「デジタルラジオ」、「ＦＭラジオ」、または「音楽プレーヤ」）に基づいて、ユーザがリモコン１０を操作することで携帯電話機２にてマルチメディア機能を起動させる際に、携帯電話機２に搭載されているマルチメディア機能を起動させる起動方法の設定を固定設定にする。主制御部３１は、このマルチメディア機能の起動方法の設定に関する設定情報（固定設定に関する設定情報）を記憶させる。
【００５３】
例えば固定設定機能選択画面５５−ｄ上において、複数のマルチメディア機能の中から固定して起動させるマルチメディア機能として「地デジ」の選択が受け付けられた場合、ユーザがリモコン１０を操作することで携帯電話機２にてマルチメディア機能を起動させる際に、携帯電話機２に搭載されているマルチメディア機能を起動させる起動方法の設定が、マルチメディア機能の起動の際に、携帯電話機２に搭載されている複数のマルチメディア機能のうち、ユーザの操作によって予め固定された「地デジ」のマルチメディア機能を起動させる固定設定にされる。なお、複数のマルチメディア機能の中から固定して起動させるマルチメディア機能として「地デジ」以外の機能の選択が受け付けられた場合についても同様である。その後、処理はステップＳ１３に進む。
【００５４】
一方、ステップＳ３において液晶ディスプレイ１７に表示されるマルチメディア機能起動設定画面（マルチメディア機能起動設定画面５５−ａ）上において固定設定の選択が受け付けられていないと判定された場合、主制御部３１はステップＳ７で、操作入力制御部３３を介して、ユーザにより操作キー１４のうちの例えば確定キーなどが操作されることにより、液晶ディスプレイ１７に表示されるマルチメディア機能起動設定画面（マルチメディア機能起動設定画面５５−ｂ）上において優先度設定の選択が受け付けられたか否かを判定する。ステップＳ７において液晶ディスプレイ１７に表示されるマルチメディア機能起動設定画面（マルチメディア機能起動設定画面５５−ｂ）上において優先度設定の選択が受け付けられたと判定された場合、主制御部３１はステップＳ８で、ＬＣＤ制御部３６を制御し、ユーザがリモコン１０を操作することで携帯電話機２にてマルチメディア機能を起動させる際に、携帯電話機２に搭載されている複数のマルチメディア機能のうち、どのマルチメディア機能を優先的に起動させるか否かに関する優先度のパターンを選択するための優先度パターン選択画面５５−ｈを液晶ディスプレイ１７に表示させる。液晶ディスプレイ１７は、ＬＣＤ制御部３６の制御に従い、例えば図６に示されるように、この優先度パターン選択画面５５−ｈを表示する。
【００５５】
例えば図６の優先度パターン選択画面５５−ｈの場合、ユーザがリモコン１０を操作することで携帯電話機２にてマルチメディア機能を起動させる際に、携帯電話機２に搭載されている複数のマルチメディア機能のうち、どのマルチメディア機能を優先的に起動させるか否かに関する優先度のパターンとして、優先度の高い方から順に、「地デジ（地上波デジタルワンセグ放送波に関する機能）」（優先度１）、「デジタルラジオ（地上波デジタルラジオ放送波に関する機能）」（優先度２）、「ＦＭラジオ（ＦＭラジオに関する機能）」（優先度３）、および「音楽プレーヤ」（優先度４）が表示される。このとき、ユーザがその後に操作キー１４のうちの例えば確定キーなどを操作することで、ユーザがリモコン１０を操作することで携帯電話機２にてマルチメディア機能を起動させる際に、携帯電話機２に搭載されている複数のマルチメディア機能のうち、どのマルチメディア機能を優先的に起動させるか否かに関する優先度のパターンとして、優先度の高い方から順に「地デジ」→「デジタルラジオ」→「ＦＭラジオ」→「音楽プレーヤ」のパターンを選択することが可能となる。
【００５６】
その後、優先度パターン選択画面５５−ｈ上においてユーザにより操作キー１４のうちの例えば下キー（または右キー）などが押下されると、優先度パターン選択画面５５−ｈは優先度パターン選択画面５５−ｉに遷移するとともに、優先度パターン選択画面５５−ｉ上においては、複数のマルチメディア機能のうち、どのマルチメディア機能を優先的に起動させるか否かに関する優先度のパターンとして、優先度の高い方から順に、「地デジ（地上波デジタルワンセグ放送波に関する機能）」（優先度１）、「デジタルラジオ（地上波デジタルラジオ放送波に関する機能）」（優先度２）、「音楽プレーヤ」（優先度３）、および「ＦＭラジオ（ＦＭラジオに関する機能）」（優先度４）が表示される。なお、複数のマルチメディア機能のうち、どのマルチメディア機能を優先的に起動させるか否かに関する優先度のパターンに関しては、例えば図７（ａ）および（ｂ）に示されるように、予め２４種類の異なる優先度のパターンが用意されている。例えば図７（ｂ）に示される優先度のパターン１１の場合、どのマルチメディア機能を優先的に起動させるか否かに関する優先度のパターンは、優先度の高い方から順に「デジタルラジオ」→「音楽プレーヤ」→「地デジ」→「ＦＭラジオ」のパターンである。以下、他の優先度のパターンについても同様である。
【００５７】
そして、同様にユーザにより操作キー１４のうちの例えば上・下キー（または左・右キー）が再度押下されると、その操作に伴って、液晶ディスプレイ１７に表示される表示画面が優先度パターン選択画面５５−ｈ乃至５５−ｋ、…の間を適宜遷移する。これにより、ユーザは、操作キー１４のうちの例えば確定キーなどを操作することで、ユーザがリモコン１０を操作することで携帯電話機２にてマルチメディア機能を起動させる際に、携帯電話機２に搭載されている複数のマルチメディア機能のうち、どのマルチメディア機能を優先的に起動させるか否かに関する優先度のパターンとして、予め用意されている２４種類の異なるパターンの中から所望のパターン（例えば優先度の高い方から順に「地デジ」→「デジタルラジオ」→「ＦＭラジオ」→「音楽プレーヤ」のパターンなど）を選択することが可能となる。
【００５８】
ステップＳ９において、主制御部３１は、操作入力制御部３３を介して、ユーザにより操作キー１４が操作されることにより、優先度パターン画面５５−ｈ乃至５５−ｋ、…のいずれかの画面上において、携帯電話機２に搭載されている複数のマルチメディア機能のうち、どのマルチメディア機能を優先的に起動させるか否かに関する優先度のパターンとして、いずれかの優先度のパターンの選択を受け付ける。すなわち、予め用意されている２４種類の異なるパターンの中から所望のパターン（例えば優先度の高い方から順に「地デジ」→「デジタルラジオ」→「ＦＭラジオ」→「音楽プレーヤ」のパターンなど）の選択が受け付けられる。
【００５９】
ステップＳ１０において、主制御部３１は、優先度パターン選択画面５５−ｈ乃至５５−ｋ、…のいずれかの画面上において選択が受け付けられたいずれかの優先度のパターン（例えば優先度の高い方から順に「地デジ」→「デジタルラジオ」→「ＦＭラジオ」→「音楽プレーヤ」のパターンなど）に基づいて、ユーザがリモコン１０を操作することで携帯電話機２にてマルチメディア機能を起動させる際に、携帯電話機２に搭載されているマルチメディア機能を起動させる起動方法の設定を優先度設定にする。主制御部３１は、このマルチメディア機能の起動方法の設定に関する設定情報（優先度設定に関する設定情報）を記憶部４７に記憶させる。
【００６０】
例えば優先度パターン選択画面５５−ｈ上において、携帯電話機２に搭載されている複数のマルチメディア機能のうち、どのマルチメディア機能を優先的に起動させるか否かに関する優先度のパターンとして、優先度の高い方から順に「地デジ」→「デジタルラジオ」→「ＦＭラジオ」→「音楽プレーヤ」のパターンの選択が受け付けられた場合、ユーザがリモコン１０を操作することで携帯電話機２にてマルチメディア機能を起動させる際に、携帯電話機２に搭載されているマルチメディア機能を起動させる起動方法の設定が、マルチメディア機能の起動の際に、携帯電話機２に搭載されている複数のマルチメディア機能のうち、ユーザの操作によって予め設定された優先度（優先度の高い方から順に「地デジ」→「デジタルラジオ」→「ＦＭラジオ」→「音楽プレーヤ」）に応じてマルチメディア機能を起動させる優先度設定にされる。なお、携帯電話機２に搭載されている複数のマルチメディア機能のうち、どのマルチメディア機能を優先的に起動させるか否かに関する優先度のパターンとして、他の優先度のパターンの選択が受け付けられた場合についても同様である。その後、処理はステップＳ１３に進む。
【００６１】
一方、ステップＳ７において液晶ディスプレイ１７に表示されるマルチメディア機能起動設定画面（マルチメディア機能起動設定画面５５−ｂ）上において優先度設定の選択が受け付けられていないと判定された場合、主制御部３１はステップＳ１１で、操作入力制御部３３を介して、ユーザにより操作キー１４のうちの例えば確定キーなどが操作されることにより、液晶ディスプレイ１７に表示されるマルチメディア機能起動設定画面（マルチメディア機能起動設定画面５５−ｃ）上においてオート設定の選択が受け付けられたか否かを判定する。
【００６２】
ステップＳ１１において液晶ディスプレイ１７に表示されるマルチメディア機能起動設定画面（マルチメディア機能起動設定画面５５−ｃ）上においてオート設定の選択が受け付けられたと判定された場合、主制御部３１はステップＳ１２で、ユーザがリモコン１０を操作することで携帯電話機２にてマルチメディア機能を起動させる際に、携帯電話機２に搭載されているマルチメディア機能を起動させる起動方法の設定をオート設定にする。
【００６３】
すなわち、ユーザがリモコン１０を操作することで携帯電話機２にてマルチメディア機能を起動させる際に、起動時の電波状況などに応じて、携帯電話機２に搭載されている複数のマルチメディア機能のうち、いずれか１つのマルチメディア機能が自動的に起動させる起動方法の設定になされる。主制御部３１は、このマルチメディア機能の起動方法の設定に関する設定情報（オート設定に関する設定情報）を記憶部４７に記憶させる。その後、処理はステップＳ１３に進む。
【００６４】
ステップＳ１１において液晶ディスプレイ１７に表示されるマルチメディア機能起動設定画面（マルチメディア機能起動設定画面５５−ｃ）上においてオート設定の選択が受け付けられていないと判定された場合、処理はステップＳ３に戻り、ステップＳ３以降の処理が繰り返し実行される。
【００６５】
ステップＳ１３において、主制御部３１は、ユーザにより操作キー１４が操作されることにより、マルチメディア機能起動設定処理を終了するとの指示が受け付けられたか否かを判定する。ステップＳ１３においてマルチメディア機能起動設定処理を開始するとの指示が受け付けられていないと判定された場合、処理はステップＳ３に戻り、ステップＳ３以降の処理が繰り返し実行される。
【００６６】
一方、ステップＳ１３においてマルチメディア機能起動設定処理を開始するとの指示が受け付けられたと判定された場合、マルチメディア機能起動設定処理は終了する。
【００６７】
次に、図８のフローチャートを参照して、図４の携帯電話機２におけるマルチメディア機能起動制御処理について説明する。このマルチメディア機能起動制御処理は、ユーザによりヘッドセット９に設けられたリモコン１０の起動ボタン（図示せず）が操作されることにより、携帯電話機２にてリモコン通信部４９を介してマルチメディア機能起動制御処理を開始するとの指示が受け付けられたときに、開始される。
【００６８】
ステップＳ２１において、主制御部３１は、ユーザによりヘッドセット９に設けられたリモコン１０の起動ボタン（図示せず）が操作されることにより、リモコン通信部４９を介してマルチメディア機能起動制御処理を開始するとの指示が受け付けられたか否かを判定し、マルチメディア機能起動制御処理を開始するとの指示が受け付けられたと判定するまで待機する。
【００６９】
ステップＳ２１においてマルチメディア機能起動制御処理を開始するとの指示が受け付けられたと判定された場合、主制御部３１はステップＳ２２で、記憶部４７に記憶されているマルチメディア機能の起動方法の設定に関する設定情報に基づいて、マルチメディア機能の起動方法の設定が固定設定であるか否かを判定する。
【００７０】
ステップＳ２２においてマルチメディア機能の起動方法の設定が固定設定であると判定された場合、主制御部３１はステップＳ２３で、固定設定におけるマルチメディア機能起動処理を実行する。この固定設定におけるマルチメディア機能起動処理の詳細については、図９のフローチャートに示される。
【００７１】
図９のフローチャートを参照して、図４の携帯電話機２における固定設定におけるマルチメディア機能起動処理の詳細について説明する。ステップＳ３１において、主制御部３１は、記憶部４７に記憶されているマルチメディア機能の起動方法の設定に関する設定情報に基づいて、固定設定されているマルチメディア機能が「地デジ（地上波デジタルワンセグ放送波に関する機能）」であるか否かを判定する。
【００７２】
ステップＳ３１において固定設定されているマルチメディア機能が「地デジ（地上波デジタルワンセグ放送波に関する機能）」であると判定された場合、主制御部３１はステップＳ３２で、地上波デジタルワンセグ・ラジオ受信部５０を制御し、地上波デジタルワンセグ放送波に関する機能を起動させる。これにより、放送局８からの地上波デジタルワンセグ放送波を受信し、受信された地上波デジタルワンセグ放送波に基づく動画像を液晶ディスプレイ１７に表示するとともに、受信された地上波デジタルワンセグ放送波に基づく音声（オーディオデータ）を近距離無線通信を介してヘッドセット９に転送することができる。その後、処理は図８に戻り、マルチメディア機能起動制御処理は終了する。
【００７３】
一方、ステップＳ３１において固定設定されているマルチメディア機能が「地デジ（地上波デジタルワンセグ放送波に関する機能）」ではないと判定された場合、主制御部３１はステップＳ３３で、記憶部４７に記憶されているマルチメディア機能の起動方法の設定に関する設定情報に基づいて、固定設定されているマルチメディア機能が「デジタルラジオ（地上波デジタルラジオ放送波に関する機能）」であるか否かを判定する。
【００７４】
ステップＳ３３において固定設定されているマルチメディア機能が「デジタルラジオ（地上波デジタルラジオ放送波に関する機能）」であると判定された場合、主制御部３１はステップＳ３４で、地上波デジタルワンセグ・ラジオ受信部５０を制御し、地上波デジタルラジオ放送波に関する機能を起動させる。これにより、放送局８からの地上波デジタルラジオ放送波を受信し、受信された地上波デジタルラジオ放送波に基づく音声（オーディオデータ）を近距離無線通信を介してヘッドセット９に転送することができる。その後、処理は図８に戻り、マルチメディア機能起動制御処理は終了する。
【００７５】
ステップＳ３３において固定設定されているマルチメディア機能が「デジタルラジオ（地上波デジタルラジオ放送波に関する機能）」ではないと判定された場合、主制御部３１はステップＳ３５で、記憶部４７に記憶されているマルチメディア機能の起動方法の設定に関する設定情報に基づいて、固定設定されているマルチメディア機能が「ＦＭラジオ（ＦＭラジオ放送波に関する機能）」であるか否かを判定する。ステップＳ３５において固定設定されているマルチメディア機能が「ＦＭラジオ（ＦＭラジオ放送波に関する機能）」であると判定された場合、主制御部３１はステップＳ３６で、ＦＭラジオ受信部５１を制御し、ＦＭラジオ放送波に関する機能を起動させる。これにより、図示せぬ放送局から送信されてきたＦＭラジオを受信し、受信されたＦＭラジオ放送波に基づく音声（オーディオデータ）を近距離無線通信を介してヘッドセット９に転送することができる。その後、処理は図８に戻り、マルチメディア機能起動制御処理は終了する。
【００７６】
ステップＳ３５において固定設定されているマルチメディア機能が「ＦＭラジオ（ＦＭラジオ放送波に関する機能）」ではないと判定された場合、主制御部３１はステップＳ３７で、記憶部４７に記憶されているマルチメディア機能の起動方法の設定に関する設定情報に基づいて、固定設定されているマルチメディア機能が「音楽プレーヤ（音楽プレーヤに関する機能）」であるか否かを判定する。ステップＳ３７において固定設定されているマルチメディア機能が「音楽プレーヤ（音楽プレーヤに関する機能）」であると判定された場合、主制御部３１はステップＳ３８で、音楽制御部４８を制御し、音楽プレーヤに関する機能を起動させる。これにより、記憶部４７に予め記憶されているオーディオデータを近距離無線通信を介してヘッドセット９に転送することができる。その後、処理は図８に戻り、マルチメディア機能起動制御処理は終了する。
【００７７】
ステップＳ３７において固定設定されているマルチメディア機能が「音楽プレーヤ（音楽プレーヤに関する機能）」ではないと判定された場合、主制御部３１はステップＳ３９で、エラー処理を実行し、その後、処理は図８に戻り、マルチメディア機能起動制御処理は終了する。
【００７８】
図８に戻り、ステップＳ２２においてマルチメディア機能の起動方法の設定が固定設定ではないと判定された場合、主制御部３１はステップＳ２４で、記憶部４７に記憶されているマルチメディア機能の起動方法の設定に関する設定情報に基づいて、マルチメディア機能の起動方法の設定が優先度設定であるか否かを判定する。ステップＳ２４においてマルチメディア機能の起動方法の設定が優先度設定であると判定された場合、主制御部３１はステップＳ２５で、優先度設定におけるマルチメディア機能起動処理を実行する。この優先度設定におけるマルチメディア機能起動処理の詳細については、図１０のフローチャートに示される。
【００７９】
図１０のフローチャートを参照して、図４の携帯電話機２における優先度設定におけるマルチメディア機能起動処理の詳細について説明する。ステップＳ４１において、主制御部３１は、優先度設定におけるマルチメディア機能起動処理に用いる優先度ｎを１に初期設定する（優先度ｎ＝１）。ステップＳ４２において、主制御部３１は、記憶部４７に記憶されているマルチメディア機能の起動方法の設定に関する設定情報（優先度設定に関する設定情報）に含まれる優先度のパターンに基づいて、優先度ｎのマルチメディア機能が「地デジ（地上波デジタルワンセグ放送波に関する機能）」であるか否かを判定する。すなわち、優先度ｎ＝１の場合、優先度設定に関する設定情報に含まれる優先度のパターンに基づいて、優先度１のマルチメディア機能が「地デジ（地上波デジタルワンセグ放送波に関する機能）」であるか否かが判定される。同様に、優先度ｎ＝２の場合、優先度設定に関する設定情報に含まれる優先度のパターンに基づいて、優先度２のマルチメディア機能が「地デジ（地上波デジタルワンセグ放送波に関する機能）」であるか否かが判定される。優先度ｎ＝３または４の場合についても同様である。
【００８０】
ステップＳ４２において優先度ｎのマルチメディア機能が「地デジ（地上波デジタルワンセグ放送波に関する機能）」であると判定された場合、主制御部３１はステップＳ４３で、地上波デジタルワンセグ・ラジオ受信部５０を制御し、地上波デジタルワンセグ放送波が受信可能であるか否かを判定する。具体的には、主制御部３１は、例えば地上波デジタルワンセグ・ラジオ受信部５０にて放送局８からの地上波デジタルワンセグ放送波の受信を試行し、そのとき、多重分離部３８にて多重化信号（エレメンタリーストリーム）を取得したか否か（多重化信号が多重分離部３８に入っているか否か）を判定することにより、地上波デジタルワンセグ放送波が受信可能であるか否かを判定し、多重分離部３８にて多重化信号（エレメンタリーストリーム）を取得したときには、地上波デジタルワンセグ放送波が受信可能であると判定する。一方、主制御部３１は、多重分離部３８にて多重化信号（エレメンタリーストリーム）を取得できないときには、地上波デジタルワンセグ放送波が受信可能ではないと判定する。
【００８１】
勿論、たとえ多重分離部３８にて多重化信号（エレメンタリーストリーム）を取得したときであったとしても、地上波デジタルワンセグ放送波の受信状況が悪いときにはユーザにとって視聴すること困難となることから、例えば地上波デジタルワンセグ・ラジオ受信部５０にて放送局８からの地上波デジタルワンセグ放送波の受信を試行し、電界強度やＳ／Ｎ比が所定の基準値以下であるときには、地上波デジタルワンセグ放送波が受信可能ではないと判定するようにしてもよい。
【００８２】
ステップＳ４３において地上波デジタルワンセグ放送波が受信可能であると判定された場合、主制御部３１はステップＳ４４で、地上波デジタルワンセグ・ラジオ受信部５０を制御し、地上波デジタルワンセグ放送波に関する機能を起動させる。これにより、放送局８からの地上波デジタルワンセグ放送波を受信し、受信された地上波デジタルワンセグ放送波に基づく動画像を液晶ディスプレイ１７に表示するとともに、受信された地上波デジタルワンセグ放送波に基づく音声（オーディオデータ）を近距離無線通信を介してヘッドセット９に転送することができる。その後、処理は図８に戻り、マルチメディア機能起動制御処理は終了する。勿論、受波状況（電波状況）を判断せずに、起動の優先度として設定された最も優先度の高いマルチメディア機能を起動するようにしてもよい。
【００８３】
一方、ステップＳ４３において地上波デジタルワンセグ放送波が受信可能ではないと判定された場合、主制御部３１はステップＳ４５で、優先度設定におけるマルチメディア機能起動処理に用いる優先度ｎが４よりも小さいか否かを判定する。ステップＳ４５において優先度設定におけるマルチメディア機能起動処理に用いる優先度ｎが４よりも小さいと判定された場合、主制御部３１はステップＳ４６で、優先度設定におけるマルチメディア機能起動処理に用いる優先度ｎを１だけインクリメントする（優先度ｎ＝ｎ＋１）。その後、処理はステップＳ４２に戻り、ステップＳ４２以降の処理が実行される。
【００８４】
一方、ステップＳ４２において優先度ｎのマルチメディア機能が「地デジ（地上波デジタルワンセグ放送波に関する機能）」ではないと判定された場合、主制御部３１はステップＳ４７で、記憶部４７に記憶されているマルチメディア機能の起動方法の設定に関する設定情報（優先度設定に関する設定情報）に含まれる優先度のパターンに基づいて、優先度ｎのマルチメディア機能が「デジタルラジオ（地上波デジタルラジオ放送波に関する機能）」であるか否かを判定する。すなわち、優先度ｎ＝１の場合、優先度設定に関する設定情報に含まれる優先度のパターンに基づいて、優先度１のマルチメディア機能が「デジタルラジオ（地上波デジタルラジオ放送波に関する機能）」であるか否かが判定される。同様に、優先度ｎ＝２の場合、優先度設定に関する設定情報に含まれる優先度のパターンに基づいて、優先度２のマルチメディア機能が「デジタルラジオ（地上波デジタルラジオ放送波に関する機能）」であるか否かが判定される。優先度ｎ＝３または４の場合についても同様である。
【００８５】
ステップＳ４７において優先度ｎのマルチメディア機能が「デジタルラジオ（地上波デジタルラジオ放送波に関する機能）」であると判定された場合、主制御部３１はステップＳ４８で、地上波デジタルワンセグ・ラジオ受信部５０を制御し、地上波デジタルラジオ放送波が受信可能であるか否かを判定する。具体的な判定方法については、基本的にはステップＳ４３における地上波デジタルワンセグ放送波についての場合と同様であり、その説明は繰り返しになるので省略する。
【００８６】
ステップＳ４８において地上波デジタルラジオ放送波が受信可能であると判定された場合、主制御部３１はステップＳ４９で、地上波デジタルワンセグ・ラジオ受信部５０を制御し、地上波デジタルラジオ放送波に関する機能を起動させる。これにより、放送局８からの地上波デジタルラジオ放送波を受信し、受信された地上波デジタルラジオ放送波に基づく音声（オーディオデータ）を近距離無線通信を介してヘッドセット９に転送することができる。その後、処理は図８に戻り、マルチメディア機能起動制御処理は終了する。
【００８７】
ステップＳ４８において地上波デジタルラジオ放送波が受信可能ではないと判定された場合、処理はステップＳ４５に進み、ステップＳ４５において優先度設定におけるマルチメディア機能起動処理に用いる優先度ｎが４よりも小さいと判定された場合、優先度ｎが１だけインクリメントされ、その後、ステップＳ４２以降の処理が同様に繰り返し実行される。
【００８８】
一方、ステップＳ４７において優先度ｎのマルチメディア機能が「デジタルラジオ（地上波デジタルラジオ放送波に関する機能）」ではないと判定された場合、主制御部３１はステップＳ５０で、記憶部４７に記憶されているマルチメディア機能の起動方法の設定に関する設定情報（優先度設定に関する設定情報）に含まれる優先度のパターンに基づいて、優先度ｎのマルチメディア機能が「ＦＭラジオ（ＦＭラジオ放送波に関する機能）」であるか否かを判定する。すなわち、優先度ｎ＝１の場合、優先度設定に関する設定情報に含まれる優先度のパターンに基づいて、優先度１のマルチメディア機能が「ＦＭラジオ（ＦＭラジオ放送波に関する機能）」であるか否かが判定される。同様に、優先度ｎ＝２の場合、優先度設定に関する設定情報に含まれる優先度のパターンに基づいて、優先度２のマルチメディア機能が「ＦＭラジオ（ＦＭラジオ放送波に関する機能）」であるか否かが判定される。優先度ｎ＝３または４の場合についても同様である。
【００８９】
ステップＳ５０において優先度ｎのマルチメディア機能が「ＦＭラジオ（ＦＭラジオ放送波に関する機能）」であると判定された場合、主制御部３１はステップＳ５１で、ＦＭラジオ受信部５１を制御し、ＦＭラジオ放送波が受信可能であるか否かを判定する。具体的な判定方法については、基本的にはステップＳ４３における地上波デジタルワンセグ放送波についての場合と同様であり、その説明は繰り返しになるので省略する。
【００９０】
ステップＳ５１においてＦＭラジオ放送波が受信可能であると判定された場合、主制御部３１はステップＳ５２で、ＦＭラジオ受信部５１を制御し、ＦＭラジオ放送波に関する機能を起動させる。これにより、図示せぬ放送局から送信されてきたＦＭラジオを受信し、受信されたＦＭラジオ放送波に基づく音声（オーディオデータ）を近距離無線通信を介してヘッドセット９に転送することができる。その後、処理は図８に戻り、マルチメディア機能起動制御処理は終了する。
【００９１】
一方、ステップＳ５１においてＦＭラジオ放送波が受信可能ではないと判定された場合、処理はステップＳ４５に進み、ステップＳ４５において優先度設定におけるマルチメディア機能起動処理に用いる優先度ｎが４よりも小さいと判定された場合、優先度ｎが１だけインクリメントされ、その後、ステップＳ４２以降の処理が同様に繰り返し実行される。
【００９２】
ステップＳ５０において優先度ｎのマルチメディア機能が「ＦＭラジオ（ＦＭラジオ放送波に関する機能）」ではないと判定された場合、主制御部３１はステップＳ５３で、記憶部４７に記憶されているマルチメディア機能の起動方法の設定に関する設定情報（優先度設定に関する設定情報）に含まれる優先度のパターンに基づいて、優先度ｎのマルチメディア機能が「音楽プレーヤ（音楽プレーヤに関する機能）」であるか否かを判定する。すなわち、優先度ｎ＝１の場合、優先度設定に関する設定情報に含まれる優先度のパターンに基づいて、優先度１のマルチメディア機能が「音楽プレーヤ（音楽プレーヤに関する機能）」であるか否かが判定される。同様に、優先度ｎ＝２の場合、優先度設定に関する設定情報に含まれる優先度のパターンに基づいて、優先度２のマルチメディア機能が「音楽プレーヤ（音楽プレーヤに関する機能）」であるか否かが判定される。優先度ｎ＝３または４の場合についても同様である。
【００９３】
ステップＳ５３において優先度ｎのマルチメディア機能が「音楽プレーヤ（音楽プレーヤに関する機能）」であると判定された場合、主制御部３１はステップＳ５４で、記憶部４７に、音楽プレーヤ機能を用いて再生するオーディオデータが予め記憶されているか否か（音楽プレーヤ機能を用いて再生するオーディオデータがあるか否か）を判定する。ステップＳ５４において記憶部４７に、音楽プレーヤ機能を用いて再生するオーディオデータが予め記憶されていると判定された場合、主制御部３１はステップＳ５５で、音楽制御部４８を制御し、音楽プレーヤに関する機能を起動させる。これにより、記憶部４７に予め記憶されているオーディオデータを近距離無線通信を介してヘッドセット９に転送することができる。その後、処理は図８に戻り、マルチメディア機能起動制御処理は終了する。
【００９４】
一方、ステップＳ５４において記憶部４７に、音楽プレーヤ機能を用いて再生するオーディオデータが予め記憶されていないと判定された場合（再生するオーディオデータが保持されておらず、音楽プレーヤ機能を再生することができないと判断された場合）、処理はステップＳ４５に進み、ステップＳ４５において優先度設定におけるマルチメディア機能起動処理に用いる優先度ｎが４よりも小さいと判定された場合、優先度ｎが１だけインクリメントされ、その後、ステップＳ４２以降の処理が同様に繰り返し実行される。
【００９５】
ステップＳ５３において優先度ｎのマルチメディア機能が「音楽プレーヤ（音楽プレーヤに関する機能）」ではないと判定された場合、主制御部３１はステップＳ５６で、エラー処理を実行し、その後、処理は図８に戻り、マルチメディア機能起動制御処理は終了する。
【００９６】
ここで、図８に戻り、ステップＳ２４においてマルチメディア機能の起動方法の設定が優先度設定ではないと判定された場合、主制御部３１はステップＳ２５で、記憶部４７に記憶されているマルチメディア機能の起動方法の設定に関する設定情報に基づいて、マルチメディア機能の起動方法の設定がオート設定であるか否かを判定する。ステップＳ２６においてマルチメディア機能の起動方法の設定がオート設定であると判定された場合、主制御部３１はステップＳ２７で、オート設定におけるマルチメディア機能起動処理を実行する。このオート設定におけるマルチメディア機能起動処理の詳細については、図１１のフローチャートに示される。
【００９７】
図１１のフローチャートを参照して、図４の携帯電話機２におけるオート設定におけるマルチメディア機能起動処理の詳細について説明する。
【００９８】
ステップＳ６１において、主制御部３１は、地上波デジタルワンセグ・ラジオ受信部５０、およびＦＭラジオ受信部５１を制御し、地上波デジタルワンセグ放送波、地上波デジタルラジオ放送波、およびＦＭラジオ放送波のそれぞれの受波状況を確認する。具体的には、主制御部３１は、例えば地上波デジタルワンセグ・ラジオ受信部５０にて放送局８からの地上波デジタルワンセグ放送波または地上波デジタルラジオ放送波の受信を試行し、そのとき、多重分離部３８における多重化信号（エレメンタリーストリーム）の取得状況（多重化信号が多重分離部３８に入っているか否かに関する状況）を確認する。また、主制御部３１は、例えばＦＭラジオ受信部５１にて図示せぬ放送局からのＦＭラジオ放送波の受信を試行し、そのとき、ＦＭラジオ放送波の受波状況を確認する。
【００９９】
ステップＳ６２において、主制御部３１は、確認された地上波デジタルワンセグ放送波、地上波デジタルラジオ放送波、およびＦＭラジオ放送波のそれぞれの受波状況に基づいて、すべての放送波が受信に耐えないか否かを判定する。すなわち、地上波デジタルワンセグ放送波、地上波デジタルラジオ放送波、およびＦＭラジオ放送波の受波状況（受信状況）が悪いために、ユーザにとって視聴すること困難となり、すべての放送波に関してユーザの視聴に耐えないか否かが判定される。このとき、例えばすべての放送波の電界強度やＳ／Ｎ比が所定の基準値以下であるときには、すべての放送波に関してユーザの視聴に耐えないと判定され、すべての放送波が受信に耐えないと判定される。
【０１００】
一方、地上波デジタルワンセグ放送波、地上波デジタルラジオ放送波、およびＦＭラジオ放送波のうちいずれか１つの放送波でも受信に耐える場合には、すべての放送波に関してユーザの視聴に耐えないとは判定されず、すべての放送波が受信に耐えないことはないと判定される。
【０１０１】
ステップＳ６２においてすべての放送波が受信に耐えないと判定された場合、主制御部３１はステップＳ６３で、記憶部４７に、音楽プレーヤ機能を用いて再生するオーディオデータが予め記憶されているか否か（音楽プレーヤ機能を用いて再生するオーディオデータがあるか否か）を判定する。ステップＳ６３において記憶部４７に、音楽プレーヤ機能を用いて再生するオーディオデータが予め記憶されていると判定された場合、主制御部３１はステップＳ６４で、音楽制御部４８を制御し、音楽プレーヤに関する機能を起動させる。これにより、記憶部４７に予め記憶されているオーディオデータを近距離無線通信を介してヘッドセット９に転送することができる。その後、処理は図８に戻り、マルチメディア機能起動制御処理は終了する。一方、ステップＳ６３において記憶部４７に、音楽プレーヤ機能を用いて再生するオーディオデータが予め記憶されていないと判定された場合（再生するオーディオデータが保持されておらず、音楽プレーヤ機能を再生することができないと判断された場合）、ステップＳ６４の処理はスキップされ、その後、処理は図８に戻り、マルチメディア機能起動制御処理は終了する。
【０１０２】
ステップＳ６２においてすべての放送波が受信に耐えないことはないと判定された場合（すなわち、地上波デジタルワンセグ放送波、地上波デジタルラジオ放送波、およびＦＭラジオ放送波のうちいずれか１つの放送波でも受信に耐えると判定された場合）、主制御部３１はステップＳ６５で、確認された地上波デジタルワンセグ放送波、地上波デジタルラジオ放送波、およびＦＭラジオ放送波のそれぞれの受波状況に基づいて、地上波デジタルワンセグ放送波、地上波デジタルラジオ放送波、およびＦＭラジオ放送波のうち、受波状況が最もよい放送波が地上波デジタルワンセグ放送波であるか否かを判定する。ステップＳ６５において受波状況が最もよい放送波が地上波デジタルワンセグ放送波であると判定された場合、主制御部３１はステップＳ６６で、地上波デジタルワンセグ・ラジオ受信部５０を制御し、地上波デジタルワンセグ放送波に関する機能を起動させる。これにより、放送局８からの地上波デジタルワンセグ放送波を受信し、受信された地上波デジタルワンセグ放送波に基づく動画像を液晶ディスプレイ１７に表示するとともに、受信された地上波デジタルワンセグ放送波に基づく音声（オーディオデータ）を近距離無線通信を介してヘッドセット９に転送することができる。その後、処理は図８に戻り、マルチメディア機能起動制御処理は終了する。
【０１０３】
一方、ステップＳ６５において受波状況が最もよい放送波が地上波デジタルワンセグ放送波ではないと判定された場合、主制御部３１はステップＳ６７で、確認された地上波デジタルワンセグ放送波、地上波デジタルラジオ放送波、およびＦＭラジオ放送波のそれぞれの受波状況に基づいて、受波状況が最もよい放送波が地上波デジタルラジオ放送波であるか否かを判定する。ステップＳ６７において受波状況が最もよい放送波が地上波デジタルラジオ放送波であると判定された場合、主制御部３１はステップＳ６８で、地上波デジタルワンセグ・ラジオ受信部５０を制御し、地上波デジタルラジオ放送波に関する機能を起動させる。これにより、放送局８からの地上波デジタルラジオ放送波を受信し、受信された地上波デジタルラジオ放送波に基づく音声（オーディオデータ）を近距離無線通信を介してヘッドセット９に転送することができる。その後、処理は図８に戻り、マルチメディア機能起動制御処理は終了する。
【０１０４】
一方、ステップＳ６７において受波状況が最もよい放送波が地上波デジタルラジオ放送波ではないと判定された場合、主制御部３１はステップＳ６９で、確認された地上波デジタルワンセグ放送波、地上波デジタルラジオ放送波、およびＦＭラジオ放送波のそれぞれの受波状況に基づいて、受波状況が最もよい放送波がＦＭラジオ放送波であるか否かを判定する。ステップＳ６９において受波状況が最もよい放送波がＦＭラジオ放送波であると判定された場合、主制御部３１はステップＳ７０で、ＦＭラジオ受信部５１を制御し、ＦＭラジオ放送波に関する機能を起動させる。これにより、図示せぬ放送局から送信されてきたＦＭラジオを受信し、受信されたＦＭラジオ放送波に基づく音声（オーディオデータ）を近距離無線通信を介してヘッドセット９に転送することができる。その後、処理は図８に戻り、マルチメディア機能起動制御処理は終了する。
【０１０５】
ステップＳ６９において受波状況が最もよい放送波がＦＭラジオ放送波ではないと判定された場合、処理は図８に戻り、マルチメディア機能起動制御処理は終了する。
【０１０６】
図８に戻り、ステップＳ２６においてマルチメディア機能の起動方法の設定がオート設定ではないと判定された場合、主制御部３１はステップＳ２８で、エラー処理を行い、その後、マルチメディア機能起動制御処理は終了する。
【０１０７】
本発明の実施形態においては、携帯電話機２に複数のマルチメディア機能が搭載されている場合に、対向機器であるヘッドセット９のリモコン１０から無線通信を介して送信されてきたリモコンコマンドに応じて複数のマルチメディア機能の中からいずれかのマルチメディア機能を起動する起動方法を設定し、ヘッドセット９のリモコン１０から無線通信を介して送信されてきたリモコンコマンドを受信したとき、設定されているマルチメディア機能の起動方法の設定が固定設定、優先度設定、およびオート設定のいずれかであるか否かを判定し、その判定結果に基づいて、携帯電話機２に搭載されているマルチメディア機能の起動を制御することができる。
【０１０８】
例えば設定されているマルチメディア機能の起動方法の設定が固定設定であると判定された場合、固定設定におけるマルチメディア機能起動処理を実行することができる。これにより、ユーザの操作により予め固定設定されたマルチメディア機能を常に起動させることができる。
【０１０９】
また、設定されているマルチメディア機能の起動方法の設定が優先度設定であると判定された場合、優先度設定におけるマルチメディア機能起動処理を実行することができる。これにより、ユーザの操作により予め設定された起動の優先度と電波の受波状況を組み合わせて（あるいは、起動の優先度のみに従って）最適なマルチメディア機能を起動させることができる。さらに、設定されているマルチメディア機能の起動方法の設定がオート設定であると判定された場合、オート設定におけるマルチメディア機能起動処理を実行することができる。これにより、複数存在するマルチメディア機能のうち、例えば受波状況などが最もよいマルチメディア機能を起動させることができる。
【０１１０】
従って、既存のリモコン１０（ヘッドセット９）を用いたとしても、複数のマルチメディア機能の中からいずれかの好適な機能を起動することができる。従って、リモコン１０を用いて携帯電話機２に搭載されたマルチメディア機能を起動させる場合における利便性を向上させることができる。
【０１１１】
なお、図１１に示されるオート設定におけるマルチメディア機能起動処理においては、地上波デジタルワンセグ放送波、地上波デジタルラジオ放送波、ＦＭラジオ放送波の受波状況を確認した上で、受波状況が最もよいマルチメディア機能を起動するようにしたが、このような場合に限られず、例えば図１２のフローチャートに示されるように、オート設定におけるマルチメディア機能起動処理において、再度ユーザが利用する可能性の高い直近で起動された（最後に起動された）マルチメディア機能を起動するようにしてもよい。このとき、その受波状況がよくないときには、予め設定されている優先度に基づいて図１０を用いて説明した優先度設定におけるマルチメディア機能起動処理を実行するようにしてもよい。
【０１１２】
具体的には、図１２のステップＳ７１、Ｓ７４、Ｓ７７、Ｓ８０の処理において順次、直近で起動されたマルチメディア機能が地上波デジタルワンセグ放送波に関する機能、地上波デジタルラジオ放送波に関する機能、ＦＭラジオ放送波に関する機能、または音楽プレーヤに関する機能であるか否かを判定する。例えば直近で起動されたマルチメディア機能が地上波デジタルワンセグ放送波に関する機能であると判定された場合、地上波デジタルワンセグ放送波が受信可能であるか否かを判定し（ステップＳ７２）、地上波デジタルワンセグ放送波が受信可能であると判定された場合、地上波デジタルワンセグ放送波に関する機能を起動する（ステップＳ７３）。一方、地上波デジタルワンセグ放送波が受信可能ではないと判定された場合、処理は図８のステップＳ２５に進み、図１０に示される優先度設定におけるマルチメディア機能起動処理が実行される。なお、直近で起動されたマルチメディア機能が地上波デジタルワンセグ放送波に関する機能以外であると判定された場合についても同様である。
【０１１３】
これにより、最後に起動された（直近で起動された）マルチメディア機能を起動することができる。また、さらにその受波状況を組み合わせてより最適なマルチメディア機能を起動することができる。従って、既存のリモコン１０（ヘッドセット９）を用いたとしても、複数のマルチメディア機能の中からいずれかのより好適な機能を起動することができる。従って、リモコン１０を用いて携帯電話機２に搭載されたマルチメディア機能を起動させる場合における利便性をより向上させることができる。勿論、その受波状況に関わらず、最後に起動された（直近で起動された）マルチメディア機能を常に起動するようにしてもよい。
【０１１４】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【０１１５】
また、本発明の実施形態において説明した一連の処理は、ソフトウェアにより実行させることもできるが、ハードウェアにより実行させることもできる。
【０１１６】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１１７】
【図１】本発明に係るネットワークシステムの概略的な構成を示す図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機におけるマルチメディア機能起動設定処理を説明するフローチャート。
【図６】マルチメディア機能起動設定時に液晶ディスプレイに表示される表示画面の遷移図。
【図７】マルチメディア機能の起動方法を優先度設定にする場合における優先度のパターンを説明するための説明図。
【図８】図４の携帯電話機におけるマルチメディア機能起動制御処理を説明するフローチャート。
【図９】図８のステップ２３での固定設定におけるマルチメディア機能起動設定処理の詳細を説明するフローチャート。
【図１０】図８のステップ２５での優先度設定におけるマルチメディア機能起動設定処理の詳細を説明するフローチャート。
【図１１】図８のステップ２７のオート設定におけるマルチメディア機能起動設定処理の詳細を説明するフローチャート。
【図１２】図８のステップ２７の他のオート設定におけるマルチメディア機能起動設定処理の詳細を説明するフローチャート。
【符号の説明】
【０１１８】
１…ネットワークシステム、２…携帯電話機、３…基地局、４…公衆回線網、５…アクセスサーバ、６…ネットワーク、７…放送用コンテンツサーバ、８…放送局、９…ヘッドセット、１０…リモコン、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…リモコン通信部、５０…地上波デジタルワンセグ・ラジオ受信部、５１…ＦＭラジオ受信部。
【図１】
0004978349.tif 000002
【図２】
0004978349.tif 000003
【図３】
0004978349.tif 000004
【図４】
0004978349.tif 000005
【図５】
0004978349.tif 000006
【図６】
0004978349.tif 000007
【図７】
0004978349.tif 000008
【図８】
0004978349.tif 000009
【図９】
0004978349.tif 000010
【図１０】
0004978349.tif 000011
【図１１】
0004978349.tif 000012
【図１２】
0004978349.tif 000013